(57)【特許請求の範囲】
【請求項１】
情報を得るための少なくとも１つの隣接装置を決定することと、
前記少なくとも１つの隣接装置から複数のチャネルに関連する情報を得ることと、ここにおいて、前記得られた情報は、チャネルのセットを含む、
第１のチャネルで伝送を開始することと、
前記得られた情報に基づいて前記複数のチャネルから第２のチャネルを選択することと、ここにおいて、前記第２のチャネルは、前記第１のチャネルが前記少なくとも１つの隣接装置から得られた前記チャネルのセットの中にない場合、前記チャネルのセットから選択される、
前記選択された第２のチャネルで送信することと
を含む、ワイヤレス通信の方法。
【請求項２】
前記少なくとも１つの隣接装置は、物理的な位置が知られている固定装置のリストから決定される、請求項１に記載の方法。
【請求項３】
前記少なくとも１つの隣接装置は、ワイヤレスチャネルで送信されるシグネチャ波形の強度に基づいて決定される、請求項１に記載の方法。
【請求項４】
前記少なくとも１つの隣接装置は、ワイヤレスチャネルを介して前記少なくとも１つの隣接装置との通信に基づいて決定される、請求項１に記載の方法。
【請求項５】
別の装置に前記選択されたチャネルで情報を中継することをさらに含む、請求項１に記載の方法。
【請求項６】
前記選択されたチャネルはバックアップチャネルであり、前記方法は一次チャネルを選択することをさらに含む、請求項１に記載の方法。
【請求項７】
前記チャネルのセットは、前記少なくとも１つの隣接装置によって、低い干渉を有するように決定される、請求項１に記載の方法。
【請求項８】
前記送信は、前記第１のチャネルと前記第２のチャネルとの間で交互に繰り返される、請求項１に記載の方法。
【請求項９】
前記送信することは、前記第１のチャネルおよび前記第２のチャネルの各々でパイロット信号を連続的に送信することと、前記第１のチャネルおよび前記第２のチャネルでデータを交互に送信することとを含む、請求項１に記載の方法。
【請求項１０】
前記選択された第２のチャネルは、前記第１のチャネルと異なり、ここにおいて、前記方法は前記第１のチャネルでの伝送を停止し、前記第２のチャネルでの伝送を開始することによって定義済みの基準に基づいて前記第１のチャネルから前記第２のチャネルへ遷移することをさらに含む、請求項１に記載の方法。
【請求項１１】
前記第１のチャネルでの前記伝送は、前記第２のチャネルに関する情報を含む、請求項１０に記載の方法。
【請求項１２】
前記情報は、少なくとも１つの隣接装置から得られる、請求項１０に記載の方法。
【請求項１３】
前記得られた情報は、少なくとも１つの隣接装置が送信するチャネルを含む、請求項１０に記載の方法。
【請求項１４】
前記チャネルのセットは、しきい値を下回る干渉を有するように、前記少なくとも１つの隣接装置によって決定される、請求項１０に記載の方法。
【請求項１５】
前記第２のチャネルは、前記第２のチャネルが前記得られた情報に基づいて前記第１のチャネルよりも良いと決定された場合、選択される、請求項１０に記載の方法。
【請求項１６】
前記第２のチャネルは、隣接装置によって送信のために使用されるチャネルと同一であるように選択される、請求項１０に記載の方法。
【請求項１７】
前記第２のチャネルは、隣接装置によって送信のために使用されるチャネルと異なるように選択される、請求項１０に記載の方法。
【請求項１８】
前記第１のチャネルは、第１のホワイトスペース周波数であり、前記第２のチャネルは、第２のホワイトスペース周波数であり、前記方法は、前記得られた情報に基づいてホワイトスペース周波数のセットの中に複数のホワイトスペース周波数を並べることをさらに含み、前記第２のホワイトスペース周波数は、前記ホワイトスペース周波数のセットから選択され、前記定義済みの基準は、前記第１のホワイトスペース周波数が前記ホワイトスペース周波数のセットの中にない場合、満たされる、請求項１０に記載の方法。
【請求項１９】
前記第１のホワイトスペース周波数は、動作可能なホワイトスペース周波数であり、前記第２のホワイトスペース周波数は、バックアップホワイトスペース周波数である、請求項１８に記載の方法。
【請求項２０】
前記第１のホワイトスペース周波数に関連する信号品質で少なくとも１つのワイヤレス端末から情報を受信することをさらに含み、ここにおいて前記定義済みの基準は、また、前記信号品質がしきい値を下回り、前記少なくとも１つのワイヤレス端末が別の基地局にハンドオーバーされない場合、満たされる、請求項１８に記載の方法。
【請求項２１】
前記得られた情報は、少なくとも１つの隣接基地局の各々によって選択されたホワイトスペース周波数と、前記複数のホワイトスペース周波数の各々のための第１の干渉情報であって、ワイヤレス端末への干渉を得るための高さに配置された少なくとも１つの受信アンテナによって得られる、前記第１の干渉情報と、前記複数のホワイトスペース周波数の各々のための第２の干渉情報であって、前記少なくとも１つの隣接基地局によってサーブされるワイヤレス端末の測定値を通して前記少なくとも１つの隣接基地局から得られる、前記第２の干渉情報と、から成るグループから選択された少なくとも１つを含む、請求項１８に記載の方法。
【請求項２２】
前記高さは、約２メートルである、請求項２１に記載の方法。
【請求項２３】
前記得られた情報は、少なくとも１つの隣接基地局の各々の選択されたホワイトスペース周波数、および前記複数のホワイトスペース周波数の各々のための干渉情報を含み、ホワイトスペース周波数の前記セットの中に前記並べることは、
前記複数のホワイトスペース周波数を含む、候補周波数のリストを作ることと、
前記少なくとも１つの隣接基地局のうちのいくつが前記ホワイトスペース周波数を選択したかに基づいて、および、前記ホワイトスペース周波数のための前記干渉情報に基づいて、候補周波数の前記リストにおいて各ホワイトスペース周波数のための値の順位付けを決定することと、
前記ホワイトスペース周波数の前記値の順位付けに基づいて、候補周波数の前記リストにおいて前記ホワイトスペース周波数を順番にソートすることと、
しきい値を上回る候補周波数の前記リストからホワイトスペース周波数を除くことによって、ホワイトスペース周波数の前記セットへと候補周波数の前記リストを狭めることとを含む、請求項１８に記載の方法。
【請求項２４】
前記選択された第２のホワイトスペース周波数は、ホワイトスペース周波数の前記セットにおいて、最高位に並べられたホワイトスペース周波数である、請求項１８に記載の方法。
【請求項２５】
前記第２のホワイトスペース周波数でパイロット信号を送信することと、
前記パイロット信号の信号品質を決定するように少なくとも１つのワイヤレス端末に指示することと、
前記少なくとも１つのワイヤレス端末の各々から前記パイロット信号の前記信号品質を受信することと
をさらに含む、請求項１８に記載の方法。
【請求項２６】
前記第１のホワイトスペース周波数から前記第２のホワイトスペース周波数へ遷移することは、前記少なくとも１つのワイヤレス端末の各々から受信された前記信号品質がしきい値よりも大きい場合、行われる、請求項２５に記載の方法。
【請求項２７】
前記信号品質が、１つ以上の前記少なくとも１つのワイヤレス端末のしきい値よりも小さい場合、ホワイトスペース周波数の前記セットから前記第２のホワイトスペース周波数を除くことと、
前記除かれた第２のホワイトスペース周波数を置き換えるために、ホワイトスペース周波数の前記セットから新しい第２のホワイトスペース周波数を選択することと
をさらに含む、請求項２５に記載の方法。
【請求項２８】
情報を得るための少なくとも１つの隣接装置を決定するための手段と、
前記少なくとも１つの隣接装置から複数のチャネルに関連する情報を得るための手段と、ここにおいて、前記得られた情報は、チャネルのセットを含む、
第１のチャネルの伝送を開始するための手段と、
前記得られた情報に基づいて前記複数のチャネルから第２のチャネルを選択するための手段と、ここにおいて、前記第２のチャネルは、前記第１のチャネルが前記少なくとも１つの隣接装置から得られた前記チャネルのセットの中にない場合、前記チャネルのセットから選択される、
前記選択された第２のチャネルで送信するための手段と
を備える、ワイヤレス通信のための装置。
【請求項２９】
前記少なくとも１つの隣接装置は、物理的な位置が知られている固定装置のリストから決定される、請求項２８に記載の装置。
【請求項３０】
前記少なくとも１つの隣接装置は、ワイヤレスチャネルで送信されるシグネチャ波形の強度に基づいて決定される、請求項２８に記載の装置。
【請求項３１】
前記少なくとも１つの隣接装置は、ワイヤレスチャネルを介して前記少なくとも１つの隣接装置との通信に基づいて決定される、請求項２８に記載の装置。
【請求項３２】
別の装置に前記選択されたチャネルで情報を中継するための手段をさらに備える、請求項２８に記載の装置。
【請求項３３】
前記選択されたチャネルはバックアップチャネルであり、前記装置は一次チャネルを選択するための手段をさらに備える、請求項２８に記載の装置。
【請求項３４】
前記チャネルのセットは、前記少なくとも１つの隣接装置によって、低い干渉を有するように決定される、請求項２８に記載の装置。
【請求項３５】
前記送信するための手段は、前記第１のチャネルと前記第２のチャネルとの間を交互に送信するようにさらに構成される、請求項２８に記載の装置。
【請求項３６】
前記送信するための手段は、前記第１のチャネルおよび前記第２のチャネルの各々でパイロット信号を連続的に送信するための手段と、前記第１のチャネルおよび前記第２のチャネルでデータを交互に送信するための手段とを備える、請求項２８に記載の装置。
【請求項３７】
第１のチャネルで伝送を開始するための手段をさらに備え、ここにおいて前記選択された第２のチャネルは前記第１のチャネルと異なり、前記装置は前記第１のチャネルでの伝送を停止し、前記第２のチャネルでの伝送を開始することによって定義済みの基準に基づいて前記第１のチャネルから前記第２のチャネルへ遷移するための手段をさらに備える、請求項２８に記載の装置。
【請求項３８】
前記第１のチャネルでの前記伝送は、前記第２のチャネルに関する情報を含む、請求項３７に記載の装置。
【請求項３９】
前記情報は、少なくとも１つの隣接装置から得られる、請求項３７に記載の装置。
【請求項４０】
前記得られた情報は、少なくとも１つの隣接装置が送信するチャネルを含む、請求項３７に記載の装置。
【請求項４１】
前記チャネルのセットは、しきい値を下回る干渉を有するように、前記少なくとも１つの隣接装置によって決定される、請求項３７に記載の装置。
【請求項４２】
前記第２のチャネルは、前記得られた情報に基づいて前記第２のチャネルが前記第１のチャネルよりも良いと決定された場合、選択される、請求項３７に記載の装置。
【請求項４３】
前記第２のチャネルは、隣接装置によって伝送のために使用されるチャネルと同一であるように選択される、請求項３７に記載の装置。
【請求項４４】
前記第２のチャネルは、隣接装置によって伝送のために使用されるチャネルと異なるように選択される、請求項３７に記載の装置。
【請求項４５】
前記第１のチャネルは、第１のホワイトスペース周波数であり、前記第２のチャネルは第２のホワイトスペース周波数であり、前記装置は、前記得られた情報に基づいてホワイトスペース周波数のセットの中に複数のホワイトスペース周波数を並べるための手段をさらに備え、前記第２のホワイトスペース周波数は、前記ホワイトスペース周波数のセットから選択され、前記定義済みの基準は、前記第１のホワイトスペース周波数が前記ホワイトスペース周波数のセットの中にない場合、満たされる、請求項３７に記載の装置。
【請求項４６】
前記第１のホワイトスペース周波数は、動作可能なホワイトスペース周波数であり、前記第２のホワイトスペース周波数は、バックアップホワイトスペース周波数である、請求項４５に記載の装置。
【請求項４７】
前記第１のホワイトスペース周波数に関連する信号品質で少なくとも１つのワイヤレス端末から情報を受信するための手段をさらに備え、ここにおいて前記定義済みの基準は、さらに、前記信号品質がしきい値を下回り、前記少なくとも１つのワイヤレス端末が別の基地局にハンドオーバーされない場合、満たされる、請求項４５に記載の装置。
【請求項４８】
前記得られた情報は、少なくとも１つの隣接基地局の各々によって選択されたホワイトスペース周波数と、前記複数のホワイトスペース周波数の各々のための第１の干渉情報であって、ワイヤレス端末への干渉を得るための高さに配置された少なくとも１つの受信アンテナによって得られる、前記第１の干渉情報と、前記複数のホワイトスペース周波数の各々のための第２の干渉情報であって、前記少なくとも１つの隣接基地局によってサーブされるワイヤレス端末の測定値を通して前記少なくとも１つの隣接基地局から得られる、前記第２の干渉情報と、から成るグループから選択された少なくとも１つを含む、請求項４５に記載の装置。
【請求項４９】
前記高さは、約２メートルである、請求項４８に記載の装置。
【請求項５０】
前記得られた情報は、少なくとも１つの隣接基地局の各々の選択されたホワイトスペース周波数、および前記複数のホワイトスペース周波数の各々のための干渉情報を含み、ホワイトスペース周波数の前記セットの中に前記並べるための手段は、
前記複数のホワイトスペース周波数を含む、候補周波数のリストを作るための手段と、
前記少なくとも１つの隣接基地局のうちのいくつが前記ホワイトスペース周波数を選択したかに基づいて、および、前記ホワイトスペース周波数のための前記干渉情報に基づいて、候補周波数の前記リストにおいて各ホワイトスペース周波数のための値の順位付けを決定するための手段と、
前記ホワイトスペース周波数の前記値の順位付けに基づいて、候補周波数の前記リストにおいて前記ホワイトスペース周波数を順番にソートするための手段と、
しきい値を上回る候補周波数の前記リストからホワイトスペース周波数を除くことによって、ホワイトスペース周波数の前記セットへと候補周波数の前記リストを狭めるための手段と
を備える、請求項４５に記載の装置。
【請求項５１】
前記選択された第２のホワイトスペース周波数は、ホワイトスペース周波数の前記セットにおいて、最高位に並べられたホワイトスペース周波数である、請求項４５に記載の装置。
【請求項５２】
前記第２のホワイトスペース周波数でパイロット信号を送信するための手段と、
前記パイロット信号の信号品質を決定するように少なくとも１つのワイヤレス端末に指示するための手段と、
前記少なくとも１つのワイヤレス端末の各々から前記パイロット信号の前記信号品質を受信するための手段と
をさらに備える、請求項４５に記載の装置。
【請求項５３】
前記第１のホワイトスペース周波数から前記第２のホワイトスペース周波数へ前記遷移するための手段は、前記少なくとも１つのワイヤレス端末の各々から受信された前記信号品質がしきい値よりも大きい場合、遷移するようにさらに構成される、請求項５２に記載の装置。
【請求項５４】
前記信号品質が、１つ以上の前記少なくとも１つのワイヤレス端末のしきい値よりも小さい場合、ホワイトスペース周波数の前記セットから前記第２のホワイトスペース周波数を除くための手段と、
前記除かれた第２のホワイトスペース周波数を置き換えるために、ホワイトスペース周波数の前記セットから新しい第２のホワイトスペース周波数を選択するための手段と
をさらに備える、請求項５２に記載の装置。
【請求項５５】
情報を得るための少なくとも１つの隣接装置を決定する、
前記少なくとも１つの隣接装置から複数のチャネルに関連する情報を得る、ここにおいて、前記得られた情報は、チャネルのセットを含む、
第１のチャネルで伝送を開始する、
前記得られた情報に基づいて前記複数のチャネルから第２のチャネルを選択する、ここにおいて、前記第２のチャネルは、前記第１のチャネルが前記少なくとも１つの隣接装置からの前記チャネルのセットの中にない場合、前記チャネルのセットから選択される、および
前記選択された第２のチャネルで送信する、
ためのコードを記憶した、コンピュータ可読記憶媒体。
【請求項５６】
情報を得るための少なくとも１つの隣接装置を決定する、
前記少なくとも１つの隣接装置から複数のチャネルに関連する情報を得る、ここにおいて、前記得られた情報は、チャネルのセットを含む、
第１のチャネルで伝送を開始する、
前記得られた情報に基づいて前記複数のチャネルから第２のチャネルを選択する、ここにおいて、前記第２は、前記第１のチャネルが前記少なくとも１つの隣接装置から得られた前記チャネルのセットにない場合、前記チャネルのセットから選択される、
および
前記選択された第２のチャネルで送信する、
ように構成された処理システム
を含む、ワイヤレス通信のための装置。
【発明の詳細な説明】
【技術分野】
【０００１】
下記の説明は、一般にワイヤレス通信に関し、より具体的には、ホワイトスペース（white space）を介した周波数選択および遷移に関する。
【背景技術】
【０００２】
ホワイトスペースは、多くの地理的な位置において任意の認可された技術／第１のユーザによって使用されない周波数スペクトルを意味する。第１のユーザがいない場合、この周波数スペクトルは、任意の技術を使用して任意の他のユーザ（すなわち、第２のユーザ）によって利用可能である。ホワイトスペース周波数（または、コグニティブ（cognitive）周波数）を介した第２の使用のためのワイドエリアネットワーク（ＷＡＮ）の展開は、２つの基本的な理由のため、より従来の展開と根本的に異なる：ａ）同一の周波数（または、チャネル）は、（ＴＶ信号またはワイヤレス・マイクロホンのような）第１のユーザの存在のために、すべての位置で利用可能ではない、および、ｂ）同一のチャネルは、空間的および時間的に変化する干渉パターンを作り出す共通点のない技術を使用するさまざまなデバイスによって、共有される。ローカルエリアネットワーク（ＬＡＮ）においてでさえ、共通点のない技術を使用するデバイスは、そのような周波数を介した伝搬特性が原因で、低い周波数を介してホワイトスペースで大いに干渉し得る。一例として、２．４ギガヘルツの周波数を介した従来のＷＬＡＮ展開において、信号は、長距離を渡り、壁を通してかなり減衰し、これにより異なる第２のユーザがそれらのカバレッジエリアにおいて共存することを可能にする。しかしながら、信号は、ＶＨＦ／ＵＨＦ帯域を介する場合、遠距離を渡り、壁を通してもほとんど減衰せず、これにより第２のユーザとの間にかなりの干渉を作り出す。
【０００３】
これは、ＷＡＮ／ＬＡＮに、局地的に利用可能であり、他のデバイスからの干渉が少ない周波数を、強制的に使用させる。ワイヤレスＷＡＮ／ＬＡＮ（ＷＷＡＮ／ＷＬＡＮ）環境において、各基地局（ＢＳ）（または、アクセスポイント）は、その近傍において移動局に最も適した周波数を選択するマスタデバイスとみなされることができる。各ＢＳは、移動局（ＭＳ）が存在するとき、ＢＳから最小レート伝送をデコードすることができるＢＳの近傍であるダウンリンク（ＤＬ）カバレッジエリアと、ＭＳが存在するとき、ＢＳに最小レートで送信することができるアップリンク（ＵＬ）カバレッジエリアを有する。ＤＬおよびＵＬのカバレッジエリアは、同一の周波数を共有する認識されていないデバイスから生じる選択された周波数および干渉パターンの関数である。
【０００４】
概念的に、動的周波数選択（ＤＦＳ：Dynamic Frequency Selection）は、マスタデバイスに低い干渉が観測された利用可能なチャネルを選択させるための手段である。しかしながら、ＤＦＳプロトコルの実用的な設計は、ＤＦＳの決定過程（decision process）に含まれるエンティティに対して利用可能な制限された情報のため、さまざまな課題を提示する。
【発明の概要】
【０００５】
開示の一態様において、ワイヤレス通信の方法は、情報を得るための少なくとも１つの隣接装置を決定することと、少なくとも１つの隣接装置から複数のチャネルに関連する情報を得ることと、得られた情報に基づいて複数のチャネルからチャネルを選択することと、選択されたチャネルで送信することとを含む。
【０００６】
開示の一態様において、ワイヤレス通信のための装置は、情報を得るための少なくとも１つの隣接装置を決定するための手段と、少なくとも１つの隣接装置から複数のチャネルに関連する情報を得るための手段と、得られた情報に基づいて複数のチャネルからチャネルを選択するための手段と、選択されたチャネルで送信するための手段とを備える。
【０００７】
開示の一態様において、コンピュータプログラム製品は、コンピュータ可読媒体を含む。コンピュータ可読媒体は、情報を得るための少なくとも１つの隣接装置を決定し、少なくとも１つの隣接装置から複数のチャネルに関連する情報を得て、得られた情報に基づいて複数のチャネルからチャネルを選択し、選択されたチャネルで送信するためのコードを含む。
【０００８】
開示の一態様において、ワイヤレス通信のための装置は、処理システムを含む。処理システムは、情報を得るための少なくとも１つの隣接装置を決定し、少なくとも１つの隣接装置から複数のチャネルに関連する情報を得て、得られた情報に基づいて複数のチャネルからチャネルを選択し、選択されたチャネルで送信するように構成される。
【図面の簡単な説明】
【０００９】
【図１】図１は、例示的な装置のためのハードウェアの構成を示すブロック図である。
【００１０】
【図２】図２は、ＤＦＳに関連する２つの課題を示す図である。
【００１１】
【図３Ａ】図３Ａは、第１の展開シナリオ（deployment scenario）を示す図である。
【００１２】
【図３Ｂ】図３Ｂは、第２の展開シナリオを示す図である。
【００１３】
【図４Ａ】図４Ａは、第１の展開シナリオを示す別の図である。
【００１４】
【図４Ｂ】図４Ｂは、第２の展開シナリオを示す別の図である。
【００１５】
【図５】図５は、候補周波数のリストを示す図である。
【００１６】
【図６】図６は、動作可能な周波数に対する変化を示す図である。
【００１７】
【図７】図７は、例示的な方法のフローチャートである。
【００１８】
【図８】図８は、送信の周波数（搬送波）を示す図である。
【００１９】
【図９】図９は、例示的な方法の別のフローチャートである。
【００２０】
【図１０】図１０は、例示的な装置のモジュール図である。
【詳細な説明】
【００２１】
新しいシステム、装置、および方法のさまざまな態様が、付属の図面を参照して下記により十分に説明される。しかしながら、教示、開示は、多くの異なる形態で具現化されることができ、この開示を通して提示されている任意の特定の構造または機能に限定されると解釈されるべきではない。そうではなく、これらの態様は、この開示が完全かつ徹底されたものであり、当業者に開示の範囲を十分に示唆するように提供されている。ここでの教示に基づいて、当業者は、開示の範囲が、発明の任意の他の態様と別々に実現されようと、組み合わせられようと、ここで開示された新しいシステム、装置、および方法の任意の態様をカバーするように意図されているということを理解すべきである。たとえば、ここで説明される任意の数の態様を使用して、装置が実現されることができ、方法が実行されることができる。さらに、発明の範囲は、他の構造、機能、または、ここに説明される発明のさまざまな態様に追加された、またはそれ以外の構造および機能を使用して実行される、そのような装置または方法をカバーするように意図されている。ここに開示される任意の態様は、請求項の１つ以上の要素によって具現化され得ることを理解すべきである。
【００２２】
発明のさまざまな態様を組み込むのに適切な装置の例は、ワイヤレスネットワークにおいて動作可能な移動局を含むが、それに限定されない。移動局は、ユーザ機器、携帯電話、ユーザ端末、ワイヤレス端末、モバイルデバイス、加入者局、ワイヤレスデバイス、ワイヤレスノード、端末、アクセス端末、ノード、ハンドヘルドデバイス、またはいくつかの他の適切な専門用語で呼ぶことができる。この開示を通して説明されるさまざまな概念は、それらの特定の学術用語に関係なく、すべての適切な装置に適用されるものとする。同様に、基地局は、ワイヤレスネットワークの範囲内で制御マネジメントを担当するアクセスポイント、ポイント調整エンティティ（point coordinating entity）、または任意の装置と呼ぶことができる。
【００２３】
装置のさまざまな態様は、これから図１を参照して示されるだろう。図１は、装置のためのハードウェア構成を示す概念的なブロック図である。装置１００は、プロセッサ１０４、プロセッサ１０４に結合される機械可読媒体（メモリ）１０８、およびプロセッサ１０４に結合されるトランシーバ１０６を含む。プロセッサ１０４および機械可読媒体１０８は、共に処理システム１１０として呼ばれ得る。しかしながら、処理システム１１０は、特定のプロセッサ１０４の構成のための機械可読媒体１０８なしのプロセッサ１０４を含み得る。
【００２４】
処理システム１１０は、１つ以上のプロセッサを含み得る。１つ以上のプロセッサは、計算または他の情報操作を実行できる、汎用マイクロプロセッサ、マイクロコントローラ、デジタル・シグナル・プロセッサ（ＤＳＰ）、フィールド・プログラマブル・ゲート・アレイ（ＦＰＧＡ）、プログラマブル論理デバイス（ＰＬＤ）、コントローラ、状態機械、ゲート論理、個別のハードウェアコンポーネント、または任意の他の適切なエンティティの任意の組み合わせで実現され得る。
【００２５】
処理システム１１０は、また、ソフトウェアを記憶するための機械可読媒体１０８を含むことができる。ソフトウェアは、ソフトウェア、ファームウェア、ミドルウェア、マイクロコード、ハードウェア記述言語と呼ばれようと呼ばれなかろうと、任意のタイプの命令を意味するように広く解釈されるべきである。命令は、コード（たとえば、インソースコードフォーマット、バイナリコードフォーマット、実行可能なコードフォーマット、または任意の他の適切なコードのフォーマット）を含むことができる。命令は、１つ以上のプロセッサによって実行される場合、処理システム１１０に、下記に説明されるさまざまな機能だけでなく、他のプロトコル処理機能を実行させる。
【００２６】
機械可読媒体１０８は、プロセッサの１つ以上に組み込まれた記憶装置を含むことができる。機械可読媒体１０８は、また、ランダム・アクセス・メモリ（ＲＡＭ）、フラッシュメモリ、読み出し専用メモリ（ＲＯＭ）、プログラム可能な読み出し専用メモリ（ＰＲＯＭ）、消去可能なＰＲＯＭ（ＥＰＲＯＭ）、レジスタ、ハードディスク、リムーバブルディスク、ＣＤ−ＲＯＭ、ＤＶＤ、または任意の他の適切な記憶装置のような、１つ以上のプロセッサの外部にある記憶装置を含むことができる。さらに、機械可読媒体１０８は、データ信号を符号化する伝送路または搬送波を含むことができる。当業者は、処理システムに関し、説明される機能が、いかにして最適に実現するかを理解するだろう。
【００２７】
図２は、ＤＦＳに関連する２つの課題を示す図２００である。第１の課題は、初期化（initialization）に関連する。ＢＳ２０２は、それに接続されるＭＳを有さないと仮定する。従来のシステムにおいて、ＢＳ２０２は、既知の周波数チャネルのうちの１つでパイロットまたはシグネチャ波形（signature waveform）をブロードキャストする。ＭＳは、ＭＳがＢＳ２０２に接続する前に、すべてのチャネルでシグネチャ波形の強度を決定する。しかしながら、ＢＳ２０２は、そのカバレッジエリアにおいてＭＳからフィードバックがない場合、利用可能なチャネルの間で使用するための最良のチャネルをあらかじめ知っていない。ＢＳのみでの最良のチャネルの決定は、ＭＳでのチャネル強度を表示しない。明らかな解決法は、各利用可能なホワイトスペースチャネルでシグネチャシーケンス（signature sequence）をブロードキャストすることである。しかしながら、そのようなブロードキャストは、他のホワイトスペースデバイスのために各チャネルでそれは電力を消費し、干渉を作り出すので、逆効果である。第２の課題は、サービング（serving）ＢＳ２０２からの要求における動的な変化に関連する。ＢＳ２０２は、ＭＳ２０４およびＭＳ２０６に接続されると仮定する。ＭＳ２０４は、他のデバイスから増加した干渉のエリアに侵入することができる。新しいＭＳのＭＳ２０８は、ＢＳ２０２への小さなパス・ロス（pathloss）で、ＢＳ２０２に接続したいと望むことができる。ＢＳ２０２が、ＭＳ２０４およびＭＳ２０８に適切ではない周波数でＭＳsをサーブする（serve）場合、ＭＳ２０４およびＭＳ２０８はどのようにそれらの必要性により適切な新しいチャネルを決定するのか、ＭＳ２０８はどのようにＢＳ２０２にその信号強度を通信するのか、そしてＢＳ２０２はどのようにＭＳ２０６の通話品質に支障を来たすことなしで動作可能な周波数の変化を可能にすることができるのか。周波数分割複信（ＦＤＤ）、ＷＷＡＮ／ＷＬＡＮ展開のケースにおいて、これら２つの課題は、両方のＤＬとＵＬのために取り組まれる必要がある。
展開シナリオ
【００２８】
図３Ａは、第１の展開シナリオを示す図３００である。「グリーンフィールドオペレーション（greenfield operation）」と呼ばれ得る第１の展開シナリオは、ＷＷＡＮ／ＷＬＡＮ３０６が、ホワイトスペース周波数（たとえば、ＴＶ ＵＨＦ帯域）で他のＷＷＡＮ／ＷＬＡＮ局３０２、３０４の間で展開されるものである。ホワイトスペース周波数は、周波数の非認可帯域（non-licensed band）である。ＭＳｓ３０８は、展開領域（すなわち、許可された帯域で受信および送信し、サービスプロバイダによって所有される展開領域においてマクロ基地局がない）において、許可されたスペクトルを所有しないサービスプロバイダを通してＷＷＡＮ／ＷＬＡＮ３０６と通信する。
【００２９】
図３Ｂは、第２の展開シナリオを示す図３５０である。「容量オフロードおよびフェムト展開（capacity offload and femto deployment）」と呼ばれ得る第２の展開シナリオは、許可された周波数でのワイヤレス展開の存在によって特徴づけられる。第２の展開シナリオにおいて、ＭＳｓ ３０８でホワイトスペースにて受信および送信するＢＳ３０６は、許可された帯域で受信および送信し、ＢＳ３０６のサービスプロバイダによって所有される（および、それ故に制御される）マクロＢＳｓ３１２、３１４の間で展開される。許可された帯域での周波数は、アンカー周波数（anchor frequency）と呼ばれ、物理的マクロ（physical macro）ＢＳエンティティ３１２、３１４の各々は、アンカーＢＳと呼ばれる。容量オフロードは、ホワイトスペースにおけるホットスポット展開である。ホワイトスペースで受信および送信するＢＳエンティティ３０６は、ココグニティブＢＳと呼ばれ、選択された周波数はコグニティブ周波数と呼ばれる。アンカー搬送波は、コグニティブ搬送波の利用可能性が不確定であるため、信用性がある。フェムト展開は、ＢＳ３０６が建物の中に位置し、ＭＳエンティティのそれと高さが同様のアンテナにおいて低電力で送信する容量オフロードの特別なケースである。
【００３０】
コグニティブＢＳは、アンカーＢＳと同一の場所に配置されることができる、もしくは、できない。第１の展開シナリオ（図３Ａ）に適用できる任意のソリューションは、コグニティブＢＳ３０６がアンカーＢＳｓ３１２、３１４によってサーブされた追加の情報へのアクセスを有するので、第２の展開シナリオ（図３Ｂ）にさらに適用できる。そのようなものとして、アンカーＢＳの利用可能性は、よりシンプル、および、より信頼性のある他の選択肢を提供する。
初期化
【００３１】
図４Ａは、第１の展開シナリオを示す別の図４００である。図４Ｂは、第２の展開シナリオを示す別の図４５０である。図５は、候補周波数のリストを示す図５００である。図４Ａを参照すると、第１の展開シナリオ（すなわち、グリーンフィールドオペレーション）においてＢＳ３０６は、（１）隣接ＢＳｓ３０２、３０４によって選択された周波数、および、（２）周波数ｆｓｅｔのセットに関連づけられた干渉（すなわち、エネルギー）を被る。情報（１）に関して、隣接ＢＳｓ３０２、３０４によって選択された周波数は、（それらが接続された場合）バックホールを介してＢＳ ３０６に伝達することができ、または、ワイヤレス媒体を検知することを通して学習し、それらの隣接ＢＳｓ３０２、３０４によって使用される周波数のセットを識別することができる。ワイヤレス媒体を検知することを通して学習するために、ＢＳ３０６は、ブロードキャストチャネル、または、隣接ＢＳｓ３０２、３０４からＢＳｓのＩＤｓを含むいくつかのシグネチャシーケンスをデコードすることができる。情報（２）に関して、周波数ｆｓｅｔのセットにおいて各周波数に関連づけられた干渉／エネルギーは、他の基地局、または、アンテナ３１０のようなＭＳの高さ（高さ約２メートル）で固定された受信アンテナから得ることができる。アンテナ３１０は、ＢＳ３０６の直接近傍（immediate neighborhood）において展開されることができ、周波数ｆｓｅｔのセットにおける干渉は、利用可能なホワイトスペースにおける各周波数ｆで（すなわち、セットｆｓｅｔにおける各周波数ｆで）測定されることができる。一例において、ＢＳ３０６の送信アンテナが地上から約１０−１５メートルである場合、受信アンテナ３１０は、ＢＳ３０６が位置する地上からおよそ２メートルの高さに取り付けられることができる。情報（２）が別の基地局から受信される場合、周波数ｆｓｅｔのセットは、別のコグニティブ基地局であり得る基地局によって組み立てられたＬＣＦの結果であり得る。
【００３２】
図５を参照すると、ＢＳ３０６は、隣接ＢＳｓ３０２、３０４から得られた情報、およびアンテナ３１０から得られた干渉情報で、干渉を引き起こす尤度、または干渉次数（order of interference）の高まりにおいて、候補周波数のリスト（ＬＣＦ：list of candidate frequencies）５００を作り出すことができる。ＬＣＦは、情報がバックホールを介してそのエンティティに伝達されることができる限り、ＢＳ３０６の代わりに、ネットワークにおける任意のエンティティによって作り出されることができるということに注意されたい。リストは、任意の手段でソートされることができる。一例において、各周波数は、その周波数に対して測定された干渉に基づいて番号が割り当てられることができ、総計は、隣接ＢＳｓがその周波数を使用する場合、その番号から引かれることができる。周波数のセットは、結果の番号に基づいてソートされることができる。より具体的に、特定の周波数は、干渉がない場合があり得る、それゆえ、１０が割り当てられるが、２つの隣接基地局が特定の周波数を使用する場合、そのような各隣接基地局に対して−１引かれることができるので、ＬＣＦにおいてソートされるために他の候補周波数と比較するように使用されることができる８という和を提供する。
【００３３】
一度ソートされると、干渉または干渉の尤度がしきい値より大きい周波数ｆは、観測された干渉または予想された干渉の尤度が許容しきい値（tolerable threshold）より高いので、ＬＣＦから除かれる。図５において示されるように、周波数Ｆｅは、しきい値より大きい干渉または干渉の尤度を有するために除かれる。
【００３４】
ネットワークの必要性に依存して、下記の２つの反対の目的は、情報（１）（すなわち、隣接ＢＳｓによって選択された周波数）で達成されることができる：
ａ）隣接ＢＳによって使用されない（または、最小限に使用される）周波数は、ＬＣＦから選択される。このアプローチは、隣接ＢＳｓの干渉効果を減少させ、目的が同一のネットワークに属するＢＳｓのカバレッジエリアを増加させることである場合、優先される（preferred）。
ｂ）隣接ＢＳによって最も多く使用される周波数は、ＬＣＦから選択される。これは、目的が高度なモバイルネットワーク展開のケースにおいて周波数間のハンドオフ（inter-frequency handoff）を減少させることである場合、行われる。こういった展開は、ネットワークサービスプロバイダにセルの間で増加した干渉のコストで高度な移動性を提供することに役立つ。
【００３５】
上述したように、アルゴリズムは、部分情報（partial information）のみがＢＳ３０６に対して利用可能であるケースにおいて容易に適応されることができる。たとえば、ＢＳ３０６は、情報（１）がない場合、アンテナ３１０によって測定されるように、最小限の測定された干渉で周波数を選択することができる。同様に情報（２）がない場合、ＬＣＦは、最も少なく使用される周波数から最も多く使用される周波数の順でランクづけされるすべての利用可能な周波数のリストであることができ、ＢＳ３０６は、目的ａ）またはｂ）に依存して周波数を選択することができる。両方の情報（１）および（２）の存在においてＢＳ３０６は、周波数が（１）および（２）において受信された情報を均衡させることによって優先されると仮定して、ＬＣＦにおいて一番上の候補を選択することができる。上記に説明された初期化アルゴリズムは、また、ＢＳがたとえばフェムトセル展開（femto cell deployment）のようなポータブルデバイスである計画されていないユーザ展開モデル（unplanned user-deployment model）であるケースにおいて、利用されることができる。
【００３６】
図４Ｂを参照すると、第２の展開シナリオ（すなわち、容量オフロードおよびフェムト展開）における周波数選択のためのアルゴリズムは、アンカーＢＳｓ３１２、３１４に接続されたＭＳｓ３０８から収集した情報を使用することによって改良されることができる。各コグニティブＢＳ３０６は、関連づけられたアンカーＢＳｓのリストを保持する。アンカーＢＳは、アンカーＢＳからの伝送がコグニティブＢＳ３０６の「所望の（desired）」カバレッジエリアにおいて確実にデコードされることができる場合、リストの中にある。コグニティブＢＳ３０６のカバレッジエリアが動作可能なホワイトスペース周波数における干渉パターンの関数であるため、「所望の」という言葉は、ネットワークサービスプロバイダがコグニティブＢＳ３０６に信頼性のあるサービスを提供できるように望む、ＤＬ／ＵＬカバレッジエリアを示すために使用される。
【００３７】
コグニティブＢＳ３０６のためにアンカーＢＳｓのリストを作り出し、保持する複数の手段がある。一例において、リストは下記のようにアンカーＢＳｓを含む：
I．計画された展開のケースにおいて（図４Ｂを参照）、両方のアンカーＢＳｓとコグニティブＢＳｓの位置およびカバレッジエリアが知られている。アンカーＢＳｓは、２つのカバレッジエリアにおいてかなりの重複（overlap）がある場合、リストに加えられることができる。したがって、図４Ｂに示されるように、アンカーＢＳｓ３１２、３１４はリストに加えられる。
II．計画されていない展開のケースにおいて、アンカーＢＳｓ３１２、３１４を含む異なるアンカーＢＳから許可された周波数で受信された信号強度は、コグニティブＢＳ３０６で測定される。信号強度は、コグニティブＢＳ３０６が位置する地上からおよそ２メートルの高さで取り付けられたアンテナ３１０のような受信アンテナによって測定されることができる。アンカーＢＳからの信号強度がしきい値を上回る場合、アンカーＢＳはリストに加えられる。そのような構成において、アンカーＢＳ３１２の信号強度が所定のしきい値を上回るが、アンカーＢＳ３１４の信号強度は所定のしきい値を下回る場合、アンカーＢＳ３１２はリストに加えられ、アンカーＢＳ３１４はリストに加えられない。
【００３８】
関連づけられたアンカーＢＳのリストのサイズは、信号が所定の信号強度のしきい値より高い強度で受信されるアンカーＢＳｓのみを含む最大サイズまで制御されることができ、所定の信号強度のしきい値はリストにないアンカーＢＳｓからの信号強度より高い。
【００３９】
関連づけられたアンカーＢＳを仮定すると、上述されたように、コグニティブＢＳ３０６は、また、情報（１）および（２）に加えて、下記の情報（３）を得ることができる：コグニティブＢＳ３０６は、バックホールを介してその関連リストにおける各アンカーＢＳから望ましい候補のホワイトスペース周波数のセットを受信する。アンカーＢＳは、周波数ｆｓｅｔのセットを介して干渉を測定し、報告するためにアンカーＢＳに接続されたＭＳｓを要求することによって、この望ましい候補周波数のリストを得る。コグニティブＢＳ３０６は、アンカーＢＳに接続されたＭＳの測定オーバーヘッド（measurement overhead）を減少させるため、コグニティブＢＳ３０６がより多くの情報を望むことを通して、関連づけられたアンカーＢＳにＬＣＦを提供することができる。干渉の高値（high value of interference）がアンカーＢＳに接続される多くのＭＳｓによって報告される周波数は、候補周波数のリストから除かれることができる。
【００４０】
図４Ａを参照にすると、コグニティブＢＳ３０６は、また、隣接コグニティブＢＳｓ３０２、３０４から情報（３）を得ることができる。そのような構成において、コグニティブＢＳ３０６は、望ましいホワイトスペース周波数のリストを、コグニティブＢＳ３０２、３０４からバックホールを介して受信する。コグニティブＢＳｓ３０２、３０４は、コグニティブＢＳｓの各々が周波数のセットを介して干渉を測定し、報告するために通信するＭＳ３０８を要求することによって、望ましい候補周波数のリストを得る。コグニティブＢＳｓ３０２、３０４は、得られた情報を報告し、ＬＣＦを組み立て、コグニティブＢＳ３０６に組み立てられたＬＣＦを報告することができる。
【００４１】
関連づけられたアンカーＢＳｓから受信された情報に基づいて修正後に修正されたＬＣＦを仮定すると、コグニティブＢＳ３０６は、周波数を選択するためにステップ（ａ）または（ｂ）を実現することができる。初期化のステップは、ＦＤＤシステムのケースにおいて、ＤＬおよびＵＬ周波数の選択と同様である。
動作可能な周波数に対する変化
【００４２】
図６は、動作可能な周波数に対する変化を示す図６００である。コグニティブＢＳ３０６は、ＤＬ周波数ｆｏを選択し、この周波数を介してＭＳ３１６およびＭＳ３１８に接続されると仮定する。周波数ｆｏは、動作可能な周波数である。コグニティブＢＳ３０６は、周波数ｆｏでパイロットまたはシグネチャ波形を送信する。 
【００４３】
コグニティブＢＳ３０６に接続したいと望むＭＳ３２０のような他の移動局があり得るが、それらは、他のデバイスからの高い干渉が原因で、周波数ｆｏにおいてカバレッジホール（coverage hole）の中にあり得る。コグニティブＢＳ３０６は、異なる動作可能な周波数への遷移を可能にするため、そのＭＳ３１６およびＭＳ３１８との通信は、この変化のため、逆に影響を受け、低下する（dropped）ことはないということを保証しなければならない。
【００４４】
図７は、例示的な方法のフローチャート７００である。
【００４５】
第１のステップ：第１のステップ７０２において、コグニティブＢＳ３０６は、上述したように、すべての情報（１）、（２）および（３）を定期的に得ることができる。情報（３）は、（アンカーＢＳｓ３１２、３１４のような）アンカーＢＳの存在において、コグニティブＢＳ３０６によって送信されたシグネチャ波形の信号雑音比（ＳＮＲ：signal to noise ratio）を測定するためにアンカーＢＳに接続されたＭＳｓを要求することによって、アンカーＢＳによって改良されることができる。動作可能な周波数ｆｏは、一定のＭＳｓがシグネチャ波形で高い受信されたＳＮＲを報告した場合、コグニティブＢＳ３０６に、関連づけられたアンカーＢＳによって与えられる候補周波数のリストに含まれるだろう。
【００４６】
ＬＣＦは、ＬＣＦ（ｆ∈ＬＣＦ）において、いくつか、あるいはすべての周波数で干渉測定を行うために、ＭＳ３１６およびＭＳ３１８を要求することにより、コグニティブＢＳ３０６によってさらに改良される。
【００４７】
第２のステップ：第２のステップ７０４において、コグニティブＢＳ３０６は、ＬＦＣからバックアップ周波数（backup frequency）ｆｂを選択する。
【００４８】
第３のステップ：第３のステップ７０６において、２つのトリガが検出される：（１）動作可能な周波数はＬＣＦに属さない、または（２）動作可能な周波数は、接続されたＭＳｓに適切ではなく、接続されたＭＳｓは別のＢＳを利用できない、つまり他のＢＳｓはＭＳｓをサーブするにはひどく高負荷（heavily loaded）がかかる。下記のトリガは、コグニティブＢＳ３０６に新しい動作可能な周波数を見つけさせ、切り替えさせようとする：
ｉ 周波数ｆｏは、ＬＣＦに属さない、または、
ｉｉ ＭＳ３１６またはＭＳ３１８は、コグニティブＢＳ３０６のシグネチャ波形において周波数ｆｏで低いＳＮＲを測定および報告し、シグネチャ波形がＭＳ３１６およびＭＳ３１８によって望ましいレベルで受信されたコグニティブＢＳ３０６の近傍において、他のＢＳ（コグニティブまたはアンカー）は存在しない。
【００４９】
トリガｉ）は、それに接続したいと望むＭＳ３２０のような他のＭＳｓがあり得るが、それらによって観測された干渉のため、できないということをコグニティブＢＳ３０６に伝える。トリガｉｉ）は、コグニティブＢＳ３０６に接続されたＭＳｓの通話品質は、もはや優れておらず、ＭＳｓに信頼性のあるサービスを提供することができる近隣のＢＳは存在しないということを、コグニティブＢＳ３０６に伝える。トリガｉｉ）は、また、高負荷のアンカーＢＳ（デコードされることができる伝送）の存在においてアクティブ化されることができ、それゆえにＭＳｓをサーブすることはできない。
【００５０】
トリガが検出される７０８場合、コグニティブＢＳ３０６は、第４のステップ７１０に進み、別の方法では、コグニティブＢＳ３０６は、第１から第３のステップ７０２、７０４、７０６を定期的に繰り返す。
【００５１】
第４のステップ：第４のステップ７１０において、コグニティブＢＳ３０６は、バックアップ周波数ｆｂへ遷移する。コグニティブＢＳ３０６で送信機の複雑性に依存する２つのオプションがある：
ａ）コグニティブＢＳ３０６は、バックアップ周波数ｆｂへの遷移を可能にするために、周波数ｆｂでパイロットまたはシグネチャ波形を送信することができる。このシグネチャは、周波数ｆｏでの伝送に加えて、送信されることができる。コグニティブＢＳ３０６に接続されたＭＳ３１６およびＭＳ３１８は、その後、周波数ｆｂで測定を行うためにコグニティブＢＳ３０６によって指示され、ＭＳ受信アンテナで測定されたＳＮＲを報告する。コグニティブＢＳ３０６は、ＳＮＲがコグニティブＢＳ３０６に接続されたすべてのＭＳに対してしきい値より大きい場合、周波数ｆｂへの遷移および周波数ｆｏでの伝送を停止するために、それに接続されたＭＳに指示することができる。周波数ｆｂは、その後、新しい運転可能な周波数になる。コグニティブＢＳ３０６に接続されたわずかなＭＳによって報告された周波数ｆｂにおけるＳＮＲは、しきい値より低いので、コグニティブＢＳ３０６は２つのオプションを有する：ａ）コグニティブＢＳ３０６は、ＬＣＦからｆｂを除外でき、アルゴリズムのステップを繰り返すことができる、または、ｂ）周波数ｆｏで低いＳＮＲを報告する多くのＭＳと比較して、コグニティブＢＳ３０６は、極めて少ないＭＳがｆｂで低いＳＮＲを報告する場合、バックアップ周波数ｆｂへの遷移を依然として決定することができる。これは、ｆｂがコグニティブＢＳ３０６に接続されたＭＳによって報告された測定に基づいて改良されたＬＣＦから選択されたように、まれなイベントであるということに注意されたい。
ｂ）コグニティブＢＳ３０６は、ＢＳ送信機での複雑性制約（complexity restrictions）がコグニティブＢＳ３０６に、２つの異なる周波数で２つの同時シグネチャ波形（simultaneous signature waveforms）を送信することを許可しないケースにおいて、周波数ｆｂにブラインドスイッチ（blind switch）を行うことを決定することができ、しばらくしてそれらの受信機を同調させる（tune）ために、それに接続されたＭＳｓに指示する。ｆｂで送信されたシグネチャ波形のＳＮＲは、ＭＳ３１６およびＭＳ３１８がｆｂで干渉に対して比較的低い値を報告したため、ｆｏで送信されたシグネチャ波形のＳＮＲより高いだろうと予想される。
【００５２】
ＦＤＤシステムのケースにおいて、ＵＬバックアップ周波数は、ＢＳ受信アンテナで変化する干渉に基づいてコグニティブＢＳ３０６によって直接的に選択されることができる。
更なる向上
【００５３】
上述された方法において、複雑性は、現在のＷＷＡＮ展開に非常に似続けていた。コグニティブＢＳ３０６の「所望の」カバレッジエリアにおいて選択されたホワイトスペース周波数の不信頼性（unreliability）を仮定すると、単一の周波数で送信することは十分ではあり得ない。マルチチャネルの動的周波数選択（Ｍ−ＤＦＳ：Multi-channel Dynamic Frequency Selection ）は、２つ以上の周波数を選択するための概念的手段として示されている。
【００５４】
ここで、Ｍ−ＤＦＳのメリットに対して複雑性およびコストを均衡させようと試みる実用的な設計を示す。ＬＣＦからの複数の周波数は、いくつかの基準を満たすために選択されることができるということに注意されたい。２つのチャネルＤＦＳの例は、上述されたような２つの周波数ｆｏおよびｆｂの選択である。
【００５５】
図８は、伝送の周波数（搬送波）を示す図８００である。１つの可能なオプションは、コグニティブＢＳ３０６が複数の周波数を介して同時に送信することである。しかしながら、実用的な選択は、図８（２つのチャネルのＤＦＳ図）において示されているように、複数の周波数の間で伝送の周波数を定期的に変化することである。低複雑性（low complexity）の２つの可能なオプションは：
ａ）コグニティブＢＳ３０６は、その伝送周波数を定期的にシフトする。コグニティブＢＳ３０６が特定の周波数で送信している間の時間は、ブロードキャストされ、関連づけられたアンカーＢＳｓに知らされている。アンカーＢＳｓに接続されたＭＳは、すべての周波数に従い、再同調することができる、もしくは、できない。ＭＳが第２の周波数に再同調され得るケースにおいて、特定のＭＳ向きであるページング・インジケータおよびＡＣＫ／ＮＡＣＫのような専用制御チャネル（dedicated control channel）は、ＭＳが再同調させるすべての周波数で送信される。
ｂ）周波数および時間追尾（time tracking）は、すべての周波数でパイロットまたはシグネチャ波形を連続的に（および、したがって同時に）送信することによって、受信機に対して容易にできている。
【００５６】
オプションｂ）は、異なる周波数の間で再同調しない低複雑性の受信機を有するＭＳを用いた展開において適切である。ＭＳは、ＭＳ受信機が（２つ以上の受信チェーン（receive chains）を有する）マルチキャリア可能（multicarrier capable）である場合、２つの搬送波で同時に受信することができる。制御チャネルは、搬送波のうちの１つがより高い信頼性を有する場合、この搬送波で送信されるべきである。搬送波のうちの１つがより高い信頼性を有するシナリオの一例は、アンカー搬送波（anchor carrier）が利用可能である第２の展開シナリオ（すなわち、容量オフロードおよびフェムト展開）である。このケースにおいて、ＭＳは、干渉環境（interference environment）がより制御されたアンカー搬送波で、制御チャネルを受信し続けることができる。 
【００５７】
図９は、例示的な方法のフローチャート９００である。方法は、情報を得るための少なくとも１つの隣接装置を決定すること（９０２）と、少なくとも１つの隣接装置から複数のチャネルに関連する情報を得ること（９０４）と、得られた情報に基づいて複数のチャネルからチャネルを選択すること（９０６）と、選択されたチャネルで送信すること（９０８）とを含む。少なくとも１つの隣接装置は、物理的な位置が知らされている固定装置のリストから決定されることができる。少なくとも１つの隣接装置は、ワイヤレスチャネルで送信されたシグネチャ波形の強度に基づいて決定されることができる。少なくとも１つの隣接装置は、ワイヤレスチャネルを介して少なくとも１つの隣接装置との通信に基づいて決定されることができる。一構成において、方法は、別のコグニティブ基地局のような別の装置に選択されたチャネルで情報を中継することをさらに含む。一構成において、選択されたチャネルはバックアップチャネルであり、前記方法は一次チャネルを選択することをさらに含む。一構成において、得られた情報は、少なくとも１つの隣接装置によって低い干渉を有すると決定されたチャネルのセットである。一構成において、方法は、得られた情報に基づいて複数のチャネルから追加のチャネルを選択することをさらに含む。送信は、さらに、追加のチャネルで行われる。一構成において、送信は、前記チャネルと前記追加のチャネルとの間で交互に繰り返される。一構成において、送信は、前記チャネルおよび前記追加のチャネルの各々でパイロット信号を連続的に送信することと、前記チャネルと前記追加のチャネルでデータを交互に送信することとを含む。
【００５８】
一構成において、方法は、第１のチャネルで伝送を開始することをさらに含む。選択されたチャネルは、第１のチャネルと異なる第２のチャネルである。方法は、第１のチャネルでの伝送を停止することと、第２のチャネルでの伝送を開始することによって、定義済みの基準（predefined criteria）に基づいて第１のチャネルから第２のチャネルへ遷移することをさらに含む。一構成において、第１のチャネルでの送信は、第２のチャネルに関する情報を含む。第１のチャネルでの伝送において第２のチャネルに関する情報を含むことは、送信を受信するＭＳｓに、第１のチャネルから第２のチャネルへの遷移で第２のチャネルを理解することを可能にするだろう。一構成において、情報は、少なくとも１つの隣接装置から得られる。一構成において、得られた情報は、少なくとも１つの隣接装置が送信するチャネルを含む。一構成において、得られた情報は、しきい値を下回る干渉を有すると決定された少なくとも１つの隣接装置であるチャネルのセットを含む。一構成において、第２のチャネルは、第１のチャネルがチャネルのセットにない場合、選択される。一構成において、第２のチャネルは、第２のチャネルが得られた情報に基づいて第１のチャネルより良いと決定された場合、選択される。一構成において、第２のチャネルは、隣接装置による伝送のために使用されたチャネルと同一であると選択される。一構成において、第２のチャネルは、隣接装置による伝送のために使用されたチャネルと異なると選択される。
【００５９】
一構成において、第１のチャネルは、第１のホワイトスペース周波数であり、第２のチャネルは、第２のホワイトスペース周波数である。方法は、得られた情報に基づいてホワイトスペース周波数のセットの中にホワイトスペース周波数を並べること（arranging）をさらに含むことができる。一構成において、第２のホワイトスペース周波数は、ホワイトスペース周波数のセットから選択され、第１のホワイトスペース周波数がホワイトスペース周波数のセットの中にない場合、定義済みの基準は満たされる。一構成において、第１のホワイトスペース周波数は、動作可能なホワイトスペース周波数であり、第２のホワイトスペース周波数は、バックアップホワイトスペース周波数（backup white space frequency）である。一構成において、方法は、第１のホワイトスペース周波数に関連する信号品質で少なくとも１つの隣接装置から情報を受信することをさらに含む。定義済みの基準は、また、信号品質がしきい値を下回り、少なくとも１つのワイヤレス端末が別の基地局にハンドオーバーされない場合、満たされることができる。一構成において、得られた情報は、少なくとも１つの隣接基地局の各々によって選択されたホワイトスペース周波数から成るグループから少なくとも１つの選択された、複数のホワイトスペース周波数の各々のための第１の干渉情報であって、ワイヤレス端末への干渉を得るための高さに配置された少なくとも１つの受信アンテナによって得られている、第１の干渉情報と、複数のホワイトスペース周波数の各々のための第２の干渉情報であって、少なくとも１つの隣接基地局によってサーブされるワイヤレス端末の測定を通して少なくとも１つの隣接基地局から得られている、第２の干渉情報と、を含む。一構成において、高さは約２メートルである。
【００６０】
一構成において、得られた情報は、少なくとも１つの隣接基地局の各々の選択されたホワイトスペース周波数および複数のホワイトスペース周波数の各々のための干渉情報を含み、複数のホワイトスペース周波数を含む、候補周波数のリストを作ることを含むホワイトスペース周波数のセットの中に並べることと、少なくとも１つの隣接基地局のうちいくつがホワイトスペース周波数を選択したかに基づき、ホワイトスペース周波数のための干渉情報に基づいている、候補周波数のリストにおいて各ホワイトスペース周波数のための値の順位付けを決定することと、ホワイトスペース周波数の値の順位付けに基づいて、候補周波数のリストにおいてホワイトスペース周波数を順番にソートすることと、しきい値を上回る候補周波数のリストからホワイトスペース周波数を除くことによって、ホワイトスペース周波数のセットへと候補周波数のリストを狭めることとを含む。
【００６１】
一構成において、選択された第２のホワイトスペース周波数は、ホワイトスペース周波数のセットにおいて最も高く並べられたホワイトスペース周波数である。一構成において、方法は、第２のホワイトスペース周波数でパイロット信号を送信することと、パイロット信号の信号品質を決定するように少なくとも１つのワイヤレス端末に指示することと、少なくとも１つのワイヤレス端末の各々からパイロット信号の信号品質を受信することとをさらに含む。一構成において、第１のホワイトスペース周波数から第２のホワイトスペース周波数へ遷移することは、少なくとも１つのワイヤレス端末の各々から受信された信号品質がしきい値より大きい場合、起こり得る。一構成において、方法は、信号品質が少なくとも１つのワイヤレス端末のうちの１つ以上に対するしきい値に満たない場合、ホワイトスペース周波数のセットから第２のホワイトスペース周波数を除くことと、除かれた第２のホワイトスペース周波数を置き換えるためにホワイトスペース周波数のセットから新しい第２のホワイトスペース周波数を選択することとをさらに含む。
【００６２】
図１０は、例示的な装置１００のモジュール図１０００である。例示的な装置１００は、情報を得るための少なくとも１つの隣接装置を決定するモジュール１００２、少なくとも１つの隣接装置から複数のチャネルに関連する情報を得るモジュール１００４、得られた情報に基づいて複数のチャネルからチャネルを選択するモジュール１００６、および選択されたチャネルで送信するモジュール１００８である。
【００６３】
プロトコルおよび設計は、ＷＡＮ展開の設定において収集された情報に基づいた動作のホワイトスペース周波数を選択および切り替えるために提供されている。一構成において、装置は、情報を得るための少なくとも１つの隣接装置を決定するための手段と、少なくとも１つの隣接装置から複数のチャネルに関連する情報を得るための手段と、得られた情報に基づいて複数のチャネルからチャネルを選択するための手段と、選択されたチャネルで送信するための手段とを備える。前述の手段は、前述の手段の各々で識別された機能を行うように構成されたコグニティブ基地局の処理システム１１０である。特に、プロセッサ１０４における前述の手段は、前述の手段の各々で識別された機能を行うように構成される。
【００６４】
先の説明は、いずれの当業者にも本開示の全範囲を十分に理解することを可能にさせるために提供されている。ここに開示されたさまざまな構成に対する変化は、当業者に容易に理解されるだろう。ここに開示されたさまざまな構成に対する変化は、当業者に容易に理解されるだろう。したがって、請求項は、ここに説明された開示のさまざまな態様に限定されることは意図しておらず、請求項の言語と一致する全範囲が付与されることを意図し、単数における要素への言及は、特にそうであるとの記載がない限り、「１つ、および１つのみ」という意味を意図するのではなく、「１つ以上の」という意味を意図する。特にそうでないとの記載がない限り、「いくつかの」という用語は、１つ以上の、を意味する。当業者に知られている、または後に知られることになる、この開示を通して説明されるさまざまな態様の要素の構造上および機能上のすべての同等物は、引用によってここに明確に組み込まれ、請求項によって含まれることを意図する。さらに、ここに開示されたものはいずれも、そのような開示が請求項において明確に記載されているかどうかに関わらず、公に献呈されるものと意図されない。請求項の要素はいずれも、要素が「〜のための手段」というフレーズを使用して明確に記載されない限り、または、方法の請求項の場合には要素が「〜のためのステップ」というフレーズを使用して記載されない限り、３５ Ｕ.Ｓ.Ｃ. §１１２、第６段落の規定のもとで解釈されるべきではない。
なお、以下に、出願当初の特許請求の範囲に記載された発明を付記する。
[Ｃ１] 
情報を得るための少なくとも１つの隣接装置を決定することと、
前記少なくとも１つの隣接装置から複数のチャネルに関連する情報を得ることと、
前記得られた情報に基づいて前記複数のチャネルからチャネルを選択することと、
前記選択されたチャネルで送信することと
を含む、ワイヤレス通信の方法。
[Ｃ２]
前記少なくとも１つの隣接装置は、物理的な位置が知られている固定装置のリストから決定される、Ｃ１に記載の方法。
[Ｃ３]
前記少なくとも１つの隣接装置は、ワイヤレスチャネルで送信されるシグネチャ波形の強度に基づいて決定される、Ｃ１に記載の方法。
[Ｃ４]
前記少なくとも１つの隣接装置は、ワイヤレスチャネルを介して前記少なくとも１つの隣接装置との通信に基づいて決定される、Ｃ１に記載の方法。
[Ｃ５]
別の装置に前記選択されたチャネルで情報を中継することをさらに含む、Ｃ１に記載の方法。
[Ｃ６]
前記選択されたチャネルはバックアップチャネルであり、前記方法は一次チャネルを選択することをさらに含む、Ｃ１に記載の方法。
[Ｃ７]
前記得られた情報は、前記少なくとも１つの隣接装置によって、低い干渉を有すると決定されたチャネルのセットである、Ｃ１に記載の方法。
[Ｃ８]
前記得られた情報に基づいて前記複数のチャネルから追加のチャネルを選択することをさらに含み、ここにおいて前記送信することは、また、前記追加のチャネルで行われる、Ｃ１に記載の方法。
[Ｃ９]
前記送信は、前記チャネルと前記追加のチャネルとの間で交互に繰り返される、Ｃ８に記載の方法。
[Ｃ１０]
前記送信することは、前記チャネルおよび前記追加のチャネルの各々でパイロット信号を連続的に送信することと、前記チャネルおよび前記追加のチャネルでデータを交互に送信することとを含む、Ｃ８に記載の方法。
[Ｃ１１]
第１のチャネルで伝送を開始することをさらに含み、ここにおいて前記選択されたチャネルは前記第１のチャネルと異なる第２のチャネルであり、前記方法は前記第１のチャネルでの伝送を停止し、前記第２のチャネルでの伝送を開始することによって定義済みの基準に基づいて前記第１のチャネルから前記第２のチャネルへ遷移することをさらに含む、Ｃ１に記載の方法。
[Ｃ１２]
前記第１のチャネルでの前記伝送は、前記第２のチャネルに関する情報を含む、Ｃ１１に記載の方法。
[Ｃ１３]
前記情報は、少なくとも１つの隣接装置から得られる、Ｃ１１に記載の方法。
[Ｃ１４]
前記得られた情報は、少なくとも１つの隣接装置が送信するチャネルを含む、Ｃ１１に記載の方法。
[Ｃ１５]
前記得られた情報は、少なくとも１つの隣接装置がしきい値を下回る干渉を有すると決定したチャネルのセットを含む、Ｃ１１に記載の方法。
[Ｃ１６]
前記第２のチャネルは、前記第１のチャネルが前記チャネルのセットの中にない場合、選択される、Ｃ１５に記載の方法。
[Ｃ１７]
前記第２のチャネルは、前記第２のチャネルが前記得られた情報に基づいて前記第１のチャネルよりも良いと決定された場合、選択される、Ｃ１１に記載の方法。
[Ｃ１８]
前記第２のチャネルは、隣接装置によって送信のために使用されるチャネルと同一であるように選択される、Ｃ１１に記載の方法。
[Ｃ１９]
前記第２のチャネルは、隣接装置によって送信のために使用されるチャネルと異なるように選択される、Ｃ１１に記載の方法。
[Ｃ２０]
前記第１のチャネルは、第１のホワイトスペース周波数であり、前記第２のチャネルは、第２のホワイトスペース周波数であり、前記方法は、前記得られた情報に基づいてホワイトスペース周波数のセットの中に前記ホワイトスペース周波数を並べることをさらに含み、前記第２のホワイトスペース周波数は、前記ホワイトスペース周波数のセットから選択され、前記定義済みの基準は、前記第１のホワイトスペース周波数が前記ホワイトスペース周波数のセットの中にない場合、満たされる、Ｃ１１に記載の方法。
[Ｃ２１]
前記第１のホワイトスペース周波数は、動作可能なホワイトスペース周波数であり、前記第２のホワイトスペース周波数は、バックアップホワイトスペース周波数である、Ｃ２０に記載の方法。
[Ｃ２２]
前記第１のホワイトスペース周波数に関連する信号品質で少なくとも１つのワイヤレス端末から情報を受信することをさらに含み、ここにおいて前記定義済みの基準は、また、前記信号品質がしきい値を下回り、前記少なくとも１つのワイヤレス端末が別の基地局にハンドオーバーされない場合、満たされる、Ｃ２０に記載の方法。
[Ｃ２３]
前記得られた情報は、少なくとも１つの隣接基地局の各々によって選択されたホワイトスペース周波数から成る前記グループから少なくとも１つの選択された、前記複数のホワイトスペース周波数の各々のための第１の干渉情報であって、ワイヤレス端末への干渉を得るための高さに配置された少なくとも１つの受信アンテナによって得られる、前記第１の干渉情報と、前記複数のホワイトスペース周波数の各々のための第２の干渉情報であって、前記少なくとも１つの隣接基地局によってサーブされるワイヤレス端末の測定値を通して前記少なくとも１つの隣接基地局から得られる、前記第２の干渉情報とを含む、Ｃ２０に記載の方法。
[Ｃ２４]
前記高さは、約２メートルである、Ｃ２３に記載の方法。
[Ｃ２５]
前記得られた情報は、少なくとも１つの隣接基地局の各々の選択されたホワイトスペース周波数、および前記複数のホワイトスペース周波数の各々のための干渉情報を含み、ホワイトスペース周波数の前記セットの中に前記並べることは、
前記複数のホワイトスペース周波数を含む、候補周波数のリストを作ることと、
前記少なくとも１つの隣接基地局のうちのいくつが前記ホワイトスペース周波数を選択したかに基づいて、および、前記ホワイトスペース周波数のための前記干渉情報に基づいて、候補周波数の前記リストにおいて各ホワイトスペース周波数のための値の順位付けを決定することと、
前記ホワイトスペース周波数の前記値の順位付けに基づいて、候補周波数の前記リストにおいて前記ホワイトスペース周波数を順番にソートすることと、
しきい値を上回る候補周波数の前記リストからホワイトスペース周波数を除くことによって、ホワイトスペース周波数の前記セットへと候補周波数の前記リストを狭めることとを含む、Ｃ２０に記載の方法。
[Ｃ２６]
前記選択された第２のホワイトスペース周波数は、ホワイトスペース周波数の前記セットにおいて、最高位に並べられたホワイトスペース周波数である、Ｃ２０に記載の方法。
[Ｃ２７]
前記第２のホワイトスペース周波数でパイロット信号を送信することと、
前記パイロット信号の信号品質を決定するように少なくとも１つのワイヤレス端末に指示することと、
前記少なくとも１つのワイヤレス端末の各々から前記パイロット信号の前記信号品質を受信することと
をさらに含む、Ｃ２０に記載の方法。
[Ｃ２８]
前記第１のホワイトスペース周波数から前記第２のホワイトスペース周波数へ遷移することは、前記少なくとも１つのワイヤレス端末の各々から受信された前記信号品質がしきい値よりも大きい場合、行われる、Ｃ２７に記載の方法。
[Ｃ２９]
前記信号品質が、１つ以上の前記少なくとも１つのワイヤレス端末のしきい値よりも小さい場合、ホワイトスペース周波数の前記セットから前記第２のホワイトスペース周波数を除くことと、
前記除かれた第２のホワイトスペース周波数を置き換えるために、ホワイトスペース周波数の前記セットから新しい第２のホワイトスペース周波数を選択することと
をさらに含む、Ｃ２７に記載の方法。
[Ｃ３０]
情報を得るための少なくとも１つの隣接装置を決定するための手段と、
前記少なくとも１つの隣接装置から複数のチャネルに関連する情報を得るための手段と、
前記得られた情報に基づいて前記複数のチャネルからチャネルを選択するための手段と、
前記選択されたチャネルで送信するための手段と
を備える、ワイヤレス通信のための装置。
[Ｃ３１]
前記少なくとも１つの隣接装置は、物理的な位置が知られている固定装置のリストから決定される、Ｃ３０に記載の装置。
[Ｃ３２]
前記少なくとも１つの隣接装置は、ワイヤレスチャネルで送信されるシグネチャ波形の強度に基づいて決定される、Ｃ３０に記載の装置。
[Ｃ３３]
前記少なくとも１つの隣接装置は、ワイヤレスチャネルを介して前記少なくとも１つの隣接装置との通信に基づいて決定される、Ｃ３０に記載の装置。
[Ｃ３４]
別の装置に前記選択されたチャネルで情報を中継するための手段をさらに備える、Ｃ３０に記載の装置。
[Ｃ３５]
前記選択されたチャネルはバックアップチャネルであり、前記装置は一次チャネルを選択するための手段をさらに備える、Ｃ３０に記載の装置。
[Ｃ３６]
前記得られた情報は、前記少なくとも１つの隣接装置によって、低い干渉を有すると決定されたチャネルのセットである、Ｃ３０に記載の装置。
[Ｃ３７]
前記得られた情報に基づいて前記複数のチャネルから追加のチャネルを選択するための手段をさらに備え、ここにおいて前記送信するための手段は、さらに、前記追加のチャネルで送信する、Ｃ３０に記載の装置。
[Ｃ３８]
前記送信するための手段は、前記チャネルと前記追加のチャネルとの間を交互に送信する、Ｃ３７に記載の装置。
[Ｃ３９]
前記送信するための手段は、前記チャネルおよび前記追加のチャネルの各々でパイロット信号を連続的に送信するための手段と、前記チャネルおよび前記追加のチャネルでデータを交互に送信するための手段とを備える、Ｃ３７に記載の装置。
[Ｃ４０]
第１のチャネルで伝送を開始するための手段をさらに備え、ここにおいて前記選択されたチャネルは前記第１のチャネルと異なる第２のチャネルであり、前記装置は前記第１のチャネルでの伝送を停止し、前記第２のチャネルでの伝送を開始することによって定義済みの基準に基づいて前記第１のチャネルから前記第２のチャネルへ遷移するための手段をさらに備える、Ｃ３０に記載の装置。
[Ｃ４１]
前記第１のチャネルでの前記伝送は、前記第２のチャネルに関する情報を含む、Ｃ４０に記載の装置。
[Ｃ４２]
前記情報は、少なくとも１つの隣接装置から得られる、Ｃ４０に記載の装置。
[Ｃ４３]
前記得られた情報は、少なくとも１つの隣接装置が送信するチャネルを含む、Ｃ４０に記載の装置。
[Ｃ４４]
前記得られた情報は、少なくとも１つの隣接装置がしきい値を下回る干渉を有すると決定したチャネルのセットを含む、Ｃ４０に記載の装置。
[Ｃ４５]
前記第２のチャネルは、前記第１のチャネルが前記チャネルのセットの中にない場合、選択される、Ｃ４４に記載の装置。
[Ｃ４６]
前記第２のチャネルは、前記得られた情報に基づいて前記第２のチャネルが前記第１のチャネルよりも良いと決定された場合、選択される、Ｃ４０に記載の装置。
[Ｃ４７]
前記第２のチャネルは、隣接装置によって伝送のために使用されるチャネルと同一であるように選択される、Ｃ４０に記載の装置。
[Ｃ４８]
前記第２のチャネルは、隣接装置によって伝送のために使用されるチャネルと異なるように選択される、Ｃ４０に記載の装置。
[Ｃ４９]
前記第１のチャネルは、第１のホワイトスペース周波数であり、前記第２のチャネルは第２のホワイトスペース周波数であり、前記装置は、前記得られた情報に基づいてホワイトスペース周波数のセットの中に前記ホワイトスペース周波数を並べるための手段をさらに備え、前記第２のホワイトスペース周波数は、前記ホワイトスペース周波数のセットから選択され、前記定義済みの基準は、前記第１のホワイトスペース周波数が前記ホワイトスペース周波数のセットの中にない場合、満たされる、Ｃ４０に記載の装置。
[Ｃ５０]
前記第１のホワイトスペース周波数は、動作可能なホワイトスペース周波数であり、前記第２のホワイトスペース周波数は、バックアップホワイトスペース周波数である、Ｃ４９に記載の装置。
[Ｃ５１]
前記第１のホワイトスペース周波数に関連する信号品質で少なくとも１つのワイヤレス端末から情報を受信するための手段をさらに備え、ここにおいて前記定義済みの基準は、さらに、前記信号品質がしきい値を下回り、前記少なくとも１つのワイヤレス端末が別の基地局にハンドオーバーされない場合、満たされる、Ｃ４９に記載の装置。
[Ｃ５２]
前記得られた情報は、少なくとも１つの隣接基地局の各々によって選択されたホワイトスペース周波数から成る前記グループから少なくとも１つの選択された、前記複数のホワイトスペース周波数の各々のための第１の干渉情報であって、ワイヤレス端末への干渉を得るための高さに配置された少なくとも１つの受信アンテナによって得られる、前記第１の干渉情報と、前記複数のホワイトスペース周波数の各々のための第２の干渉情報であって、前記少なくとも１つの隣接基地局によってサーブされるワイヤレス端末の測定値を通して前記少なくとも１つの隣接基地局から得られる、前記第２の干渉情報とを含む、Ｃ４９に記載の装置。
[Ｃ５３]
前記高さは、約２メートルである、Ｃ５２に記載の装置。
[Ｃ５４]
前記得られた情報は、少なくとも１つの隣接基地局の各々の選択されたホワイトスペース周波数、および前記複数のホワイトスペース周波数の各々のための干渉情報を含み、ホワイトスペース周波数の前記セットの中に前記並べるための手段は、
前記複数のホワイトスペース周波数を含む、候補周波数のリストを作るための手段と、
前記少なくとも１つの隣接基地局のうちのいくつが前記ホワイトスペース周波数を選択したかに基づいて、および、前記ホワイトスペース周波数のための前記干渉情報に基づいて、候補周波数の前記リストにおいて各ホワイトスペース周波数のための値の順位付けを決定するための手段と、
前記ホワイトスペース周波数の前記値の順位付けに基づいて、候補周波数の前記リストにおいて前記ホワイトスペース周波数を順番にソートするための手段と、
しきい値を上回る候補周波数の前記リストからホワイトスペース周波数を除くことによって、ホワイトスペース周波数の前記セットへと候補周波数の前記リストを狭めるための手段と
を備える、Ｃ４９に記載の装置。
[Ｃ５５]
前記選択された第２のホワイトスペース周波数は、ホワイトスペース周波数の前記セットにおいて、最高位に並べられたホワイトスペース周波数である、Ｃ４９に記載の装置。
[Ｃ５６]
前記第２のホワイトスペース周波数でパイロット信号を送信するための手段と、
前記パイロット信号の信号品質を決定するように少なくとも１つのワイヤレス端末に指示するための手段と、
記少なくとも１つのワイヤレス端末の各々から前記パイロット信号の前記信号品質を受信するための手段と
をさらに備える、Ｃ４９に記載の装置。
[Ｃ５７]
前記第１のホワイトスペース周波数から前記第２のホワイトスペース周波数へ遷移するための手段は、前記少なくとも１つのワイヤレス端末の各々から受信された前記信号品質がしきい値よりも大きい場合、遷移する、Ｃ５６に記載の装置。
[Ｃ５８]
前記信号品質が、１つ以上の前記少なくとも１つのワイヤレス端末のしきい値よりも小さい場合、ホワイトスペース周波数の前記セットから前記第２のホワイトスペース周波数を除くための手段と、
前記除かれた第２のホワイトスペース周波数を置き換えるために、ホワイトスペース周波数の前記セットから新しい第２のホワイトスペース周波数を選択するための手段と
をさらに備える、Ｃ５６に記載の装置。
[Ｃ５９]
情報を得るための少なくとも１つの隣接装置を決定する、
前記少なくとも１つの隣接装置から複数のチャネルに関連する情報を得る、
前記得られた情報に基づいて前記複数のチャネルから１つのチャネルを選択する、および
前記選択されたチャネルで送信するためのコード
を含む、コンピュータ可読媒体
を含む、コンピュータプログラム製品。
[Ｃ６０]
情報を得るための少なくとも１つの隣接装置を決定する、
前記少なくとも１つの隣接装置から複数のチャネルに関連する情報を得る、
前記得られた情報に基づいて前記複数のチャネルからチャネルを選択する、および
前記選択されたチャネルで送信する
ように構成された処理システム
を含む、ワイヤレス通信のための装置。
【図１】
0005571241.tif 000002
【図２】
0005571241.tif 000003
【図３Ａ】
0005571241.tif 000004
【図３Ｂ】
0005571241.tif 000005
【図４Ａ】
0005571241.tif 000006
【図４Ｂ】
0005571241.tif 000007
【図５】
0005571241.tif 000008
【図６】
0005571241.tif 000009
【図７】
0005571241.tif 000010
【図８】
0005571241.tif 000011
【図９】
0005571241.tif 000012
【図１０】
0005571241.tif 000013